(57)【要約】【課題】単純なアルゴリズムで、全体的な充電時間を短縮できる。【解決手段】マイコン２２が、同一パルス波形の充電パルスＤｃと同一パルス波形の放電パルスＤｃとを用意し、二次電池１の内部インピーダンスＺを接続してその変化を充電パルスＣｈの周期Ｐに反映し、充電パルス周期Ｐが切換設定値Ｐｌを越えた際に充電パルスＣｈによりＳＷ２５を閉じて充電電流Ｉｃを二次電池１に供給して充電し、続いて放電パルスＤｃにより放電回路２４を通電状態にして二次電池１を放電電流−ｉにより放電させ、充電パルスＣｈの供給の周期を短縮して供給の数を増加させる。この際の放電パルスＤｃによる放電量を適切に選択決定することにより、全体の充電時間の短縮を図ることができる。切換設定値Ｐｌと充電終了設定値Ｐｃとを充電パルス周期としたが、他の計測要素、例えば、計測される二次電池の電圧値でもよい。【選択図】      図７
2004274962.tif 000002
【特許請求の範囲】
【請求項１】
二次電池を充電する際にパルス波形をなす充電電流Ｉｃを印加する充電方法において、充電電流Ｉｃを同一パルス幅を有する充電パルスに形成し、充電パルス周期Ｐを前記二次電池の内部インピーダンス値Ｚに基づいて決定し、所定の条件でこのパルス充電を停止すると共に、前記所定の条件に達するまで、前記二次電池へ前記充電パルスを供給したのち次に続く充電パルス供給までの間隔である充電休止区間の初期に、同一パルス波形による放電電流ｉを前記二次電池に供給することを特徴とする二次電池の充電方法。
【請求項２】
請求項１において、前記所定の条件は、前記二次電池の電池電圧Ｖ、及び前記充電パルス周期Ｐのうちの一つが所定の値を越えた際であることを特徴とする二次電池の充電方法。
【請求項３】
請求項１において、放電電流ｉの印加は、充電パルス周期Ｐが予め定められた時間値Ｐｌを越えた際に開始されることを特徴とする二次電池の充電方法。
【請求項４】
二次電池を充電する際に、パルス波形をなす充電電流Ｉｃを充電パルスにより印加する充電装置において、二次電池の両極端子を接続して二次電池電圧Ｖを計測する電圧計測回路と、同一波形の充電パルスＣｈ及び同一波形の放電パルスＤｃそれぞれを含み、設定された充電パルス周期Ｐに基づいて形成された制御信号Ｃｏを送出してパルス充電を充放電を制御するマイクロコンピュータと、マイクロコンピュータの制御を受けて前記充電パルスＣｈの供給、及び前記放電パルスＤｃの供給それぞれを指示する充放電制御回路と、前記充放電制御回路の指示を受けて二次電池の両極端子を接続し放電電流の供給をオン／オフする放電回路と、充放電制御回路の指示を受けて充電電流供給をオン／オフする切換回路とを備え、
前記マイクロコンピュータは、タイマ及びメモリを有し、二次電池の両極端子を接続して得られる前記二次電池の内部インピーダンス値Ｚに基づいて前記充電パルスの印加周期を計測して前記メモリに設定し、かつ、同一波形の充電電流Ｉｃによる充電パルス及び同一波形の放電電流ｉによる放電パルスそれぞれを形成し、設定された充電パルス周期Ｐに基づいて前記充放電制御回路に、前記充電パルスＣｈの供給を指示すると共に所定の条件でこのパルス充電を停止し、かつ前記所定の条件に達するまで、前記二次電池へ前記充電パルスを供給したのち次に続く充電パルス供給までの間隔である充電休止区間の初期に、放電パルスの供給を指示するプログラムを前記メモリに有することを特徴とする二次電池の充電装置。
【請求項５】
請求項４において、全ての機能要素を前記充電器に内蔵することを特徴とする二次電池の充電装置。
【発明の詳細な説明】
【０００１】
【発明の属する技術分野】
本発明は、二次電池を充電する際に、パルス波形をなす充電電流Ｉｃを印加する二次電池の充電方法及びこの方法を用いた装置に関し、特に、安定した満充電を短時間で検出することができる二次電池の充電方法及びこの方法を用いた装置に関する。
【０００２】
【従来の技術】
従来、この種の二次電池の充電装置では、図１に示されるように、二次電池１に充電器２により充電する際、両者の間に充放電制御部１０を挿入している。この充放電制御部１０は充電器２に内蔵されている場合もある。
【０００３】
また、携帯用機器の電源として用いられる二次電池１には、例えばアルカリ電池、ニッケルカドミウム電池などがあるが、これらの電池では、浅い放電深度で充放電を繰返した場合に放電初期に電圧が急降下するメモリー効果が生じる。
【０００４】
ここで、図示される充放電制御部１０における二次電池１の放電回路１４と二次電池１への充電回路を形成するＳＷ（スイッチ回路）１５とのそれぞれは、当初、回路切断されている。
【０００５】
図２に示されるように、充電開始の際にマイコン（マイクロコンピュータ）１２は、電圧計測回路１１により二次電池１の電池電圧を計測（手順Ｓ１）し、この計測電圧値が充電開始のための基準電圧より高い場合（手順Ｓ２のＹＥＳ）には、充放電制御回路１３を制御して放電回路１４を二次電池１に接続して上記基準電圧まで低下させるため放電（手順Ｓ３）させる。十分に放電した結果として電池電圧が低下し、手順Ｓ２が「ＮＯ」となった際に、充放電制御回路１３によりＳＷ１５が制御されて充電器２が二次電池１に接続され、充電が開始（手順Ｓ４）される（例えば、特許技術１参照）。
【０００６】
通常の各種電池では、このような技術を用いてもメモリ効果の状態から十分に回復されない。また、充電特性が異なるため、一つの充電装置でそれぞれの電池に適した充電を行なうことは困難であることが判明した。このような問題に対応できる、各種の二次電池のメモリ効果を低減する充電装置として、パルス波形をなす充電電流とパルス波形をなす放電電流とを組合せ、パルス充電した後にこの充電電気量よりも小さな電気量でパルス放電させる充電手段を備えた充電装置が開示されている（例えば、特許文献２参照）。
【０００７】
特許文献２では、図１に示されるマイコン１２の制御により、充放電制御回路１３が、ＳＷ１５を制御して、例えば図３に示されるように、充電時間ｔ１（＝７ｍｓ）を有するパルス波形の充電電流を、３ｍｓ間隔を置いて二次電池１へ充電器２から供給する。一方、充放電制御回路１３の制御を受ける放電回路１４により、３ｍｓ間隔の充電休止区間の中央で放電時間ｔ３（＝１ｍｓ）を有する放電パルスが発生する。また、休止を含む充放電のサイクルは１０ｍｓと一定である。このような構成の実施により、二次電池の充電の際に放電を加えることがメモリー効果の低減をもたらすということが確認されている。
【０００８】
また、この特許文献２では、このパルス充電により所定の充電量が確保された後、微小電流によるトリクル充電を行なうことが提案されている。勿論、トリクル充電を省略することもできる。また、充電電流に対する充電区間での電池電圧Ｖｏｎと充電休止区間での電池電圧Ｖｏｆｆとの電圧値から二次電池の内部インピーダンスＺを演算し、満充電に近づいて、求められた内部インピーダンスＺが大きければ放電区間に対する充電区間の割合（ｔ３／ｔ１）を小さくするという処置が行なわれている。また、この充電停止条件のうち電圧変化については、毎回の充電休止区間での電池電圧Ｖｏｆｆの電圧値から求めた降下電圧Ｖｃが予め定められた所定電圧値Ｖａに達した際とされている。
【０００９】
図４にそのアルゴリズムをフローチャートで示し、図１を併せ参照して、電池電圧に基づく充電手順について次に説明する。
【００１０】
図２に示された手順により上述した充電条件が満たされたのち、第一充電が開始（手順Ｓ１１）され、ＳＷ１５により充電電流がオン（手順Ｓ１２）することにより、充電パルスが立ち上がる。次いで、電圧計測回路１１により電池電圧Ｖｏｎが測定（手順Ｓ１３）される。充電電流がオフ（手順Ｓ１４）された際には充電休止区間での電池電圧Ｖｏｆｆが測定（手順Ｓ１５）され、前回の電圧値Ｖｏｆｆとの比較により降下電圧Ｖｃが演算（手順Ｓ１６）される。降下電圧Ｖｃが所定値Ｖａに達するか越えた（手順Ｓ１７のＹＥＳ）場合には、この第一充電は停止（手順Ｓ１８）され、所定の第二充電としてトリクル充電が実行（手順Ｓ１９）される。
【００１１】
一方、上記手順Ｓ１７が「ＮＯ」で充電が未完了のため降下電圧Ｖｃが所定値Ｖａを越えていない場合、放電オン（手順Ｓ２１）及び放電オフ（手順Ｓ２２）により放電パルスが発生する。この後、電池電圧Ｖｏｎ及び電池電圧Ｖｏｆｆ、並びに充電電流Ｉｃから二次電池の内部インピーダンスＺが演算（手順Ｓ２３）され、充放電比率の設定値が調整（手順Ｓ２４）されて、手順は上記手順Ｓ１２に戻り繰返される。
【００１２】
他方、近年ではメモリー効果を生じないリチウムイオン電池などがノート型パソコン（パーソナルコンピュータ）などに広く用いられている。このような二次電池にも、一旦十分に放電した後、所定量の充電を繰返すことが電池寿命延長のため必要であるとされている。この充電に、上述したパルス充電は有効である。
【００１３】
【特許文献１】
特開平５−２２７６７１号公報（図１、図２）
【００１４】
【特許文献２】
特開平８−１４９７０９号公報（図１、図４、図１３）
【００１５】
【発明が解決しようとする課題】
上述した従来の二次電池の充電装置におけるパルス充電は、メモリー効果を生じないリチウムイオン電池を含め、種々の二次電池に対して広く有効である。
【００１６】
しかしながら、上記特許文献２の問題として、マイクロコンピュータに、充電のための複雑な制御がアルゴリズムとして必要とされる点が挙げられる。
【００１７】
その理由は、同一周期で充電パルスを供給しているこの技術の場合、二次電池が充電されるにしたがってその内部インピーダンスが上昇するので、上述したように、供給する充電パルスの幅を増加させて充電量を増加させている。このために、マイクロコンピュータは内部インピーダンスを演算して充放電比率を調整することを必要とするからである。
【００１８】
この問題を解決するため、例えば、充電電流と充電区間の電池電圧値とにより充電電流パルスの間隔を決定し、この間隔が所定値を越えた場合を充電終了時点とすることができる。このような充電終了時点の決定によりパルス充電の制御を簡略化することができる。
【００１９】
しかし、この場合、図５に示されるように、満充電に近づくにしたがって、二次電池の内部インピーダンスが増加するので、充電電流パルスの間隔が非常に長くなる。従って、充電休止間隔を計測して充電が停止される充電手順終了の時期を判定するまでに、判定所要時間の大幅な増加を必要とし、充電終了の決定が遅れることになる。すなわち、充電終了までの期間短縮が求められるという第二の問題が発生する。
【００２０】
本発明の課題は、このような問題点を解決し、単純なアルゴリズムで、全体的な充電時間を短縮できる二次電池の充電方法及びこの方法を用いた装置を提供することである。
【００２１】
【課題を解決するための手段】
まず、本発明による二次電池の充電方法は、二次電池を充電する際に充電パルスによりパルス波形をなす充電電流Ｉｃを印加する充電方法に関している。
【００２２】
すなわち、本発明による二次電池の充電方法は、充電電流Ｉｃを同一パルス幅を有する充電パルスに形成し、充電パルス周期Ｐを前記二次電池の内部インピーダンス値Ｚに基づいて決定し、所定の条件でこのパルス充電を停止すると共に、前記所定の条件に達するまで、前記二次電池へ前記充電パルスを供給したのち次に続く充電パルス供給までの間隔である充電休止区間の初期に、同一パルス波形を有する放電電流ｉを前記二次電池に供給している。
【００２３】
このように、パルス充電の後、パルス放電を加えることにより、過充電を回避できると共に次の充電パルス印加までの充電休止区間を短縮できる。従って、一定時間内では短時間周期の充電パルスによる充電回数を増加することができる。この際、一回の充電量が減少しても、所定時間内の充電回数が増加するので、適切なパルス放電量の設定により、全体の充電時間を短縮することが可能になる。
【００２４】
ここで、前記所定の条件が二次電池の電池電圧又は充電パルス周期が所定値を越えた際であることが、充電の制御を単純化して複雑化を回避することができるので、望ましい。また、充電終了に充電パルス周期を採用することは、充電休止区間の短縮を明確にしているので、充電終了の検出が容易であり、この検出までの時間を更に短縮させることができる。また、放電電流ｉの印加は、充電パルス周期がある程度長くなった時点の予め定められた時間値Ｐｌを越えた際に開始されることが、望ましい。
【００２５】
次いで、本発明による二次電池の充電装置は、二次電池を充電する際に、パルス波形をなす充電電流Ｉｃを印加する充電装置において、電圧計測回路（２１）とマイコン（マイクロコンピュータ）（２２）と充放電制御回路（２３）と放電回路（２４）とＳＷ（切換回路）（２５）とを備えている。
【００２６】
電圧計測回路（２１）は二次電池の両極端子を接続して二次電池電圧Ｖを計測する。マイコン（２２）は、タイマ及びメモリを有し、二次電池の両極端子を接続して得られる前記二次電池の内部インピーダンス値Ｚに基づいて前記充電パルスの印加周期を計測して前記メモリに設定し、かつ、同一波形の充電電流Ｉｃによる充電パルス及び同一波形の放電電流ｉによる放電パルスそれぞれを形成し、設定された充電パルス周期Ｐに基づいて前記充放電制御回路（２３）に、前記充電パルスＣｈの供給を指示すると共に所定の条件でこのパルス充電を停止し、かつ前記所定の条件に達するまで、前記二次電池へ前記充電パルスを供給したのち次に続く充電パルス供給までの間隔である充電休止区間の初期に、放電パルスの供給を指示するプログラムを前記メモリに有している。
【００２７】
充放電制御回路（２３）は、マイコン（２２）の制御を受けて前記充電パルスＣｈの供給をＳＷ（２５）に指示し、かつ前記放電パルスＤｃの供給を放電回路（２４）に指示する。放電回路（２４）は前記充放電制御回路の指示を受けて二次電池の両極端子を接続し放電電流の供給をオン／オフする。また、ＳＷ（２５）は充放電制御回路の指示を受けて充電電流供給をオン／オフする。
【００２８】
また、全ての機能要素を前記充電器に内蔵することができる。
【００２９】
上記括弧内の符号は、理解を容易にするために付したものであり、一例にすぎず、これらに限定されない。
【００３０】
【発明の実施の形態】
次に、本発明の実施の形態について図面を参照して説明する。
【００３１】
図６は、本発明に採用される充電電流と二次電池電圧とのパルス波形における実施の一形態を示す図である。
【００３２】
図示される実施の形態では、同一のパルス波形を有する充電電流を充電パルス電流として二次電池に供給している。充電パルス電流の周期Ｐは、二次電池の内部インピーダンスＺの影響で徐々に長引くが、ある時間値を越えた充電パルス周期Ｐｌに達した際に、充電パルス電流に続いて、放電パルス電流が二次電池に供給されている。放電パルス電流は、充電パルスの電流量より小さな電流量となるパルス幅の同一のパルス波形を有する。
【００３３】
更に、二次電池の充電量が十分となって、充電パルス電流の周期Ｐが予め定められた充電パルス周期Ｐｃを越えた際に、このパルス充電は終了する。
【００３４】
すなわち、十分な放電が行われた場合には、充電開始当初での充電パルス周期Ｐはそれほど大きくない。従って、充電パルス電流に続く放電パルス電流は二次電池に供給されない。しかし、所定の充電量が確保された場合には、二次電池の内部インピーダンスが増加して充電パルス電流の印加周期が延長される。
【００３５】
従って、パルス充電の延長された各周期で、充電パルス電流に続き放電パルス電流が供給される。この結果、充電パルス電流の供給後、充電量はパルス放電により削減されるが、充電パルス周期が短縮されるので、充電パルス電流の供給回数が増加し、結果として所定時間内における充電量は増加する。このことは、放電パルスによる放電量を適切に設定すれば、充電終了までの時間が短縮できることを意味する。
【００３６】
図７は本発明の実施の一形態を示す機能ブロック図である。
【００３７】
図７に示された二次電池の充電装置では、二次電池１に充電器２により充電する際、両者の間に充放電制御部２０を挿入している。充放電制御部２０は、電圧計測回路２１、マイコン（マイクロコンピュータ）２２、充放電制御回路２３、放電回路２４、及びＳＷ（切換回路）２５を備えている。これらは、図１に示されたものと構成要素の名称が同一であるが、その機能は従来の技術で説明したものと、マイコン２２及び充放電制御回路２３において相違している。
【００３８】
電圧計測回路２１は二次電池の両極端子を接続して二次電池１の電池電圧Ｖを計測するものであり、その構成及び機能は従来と同様でよい。
【００３９】
マイコン２２は、図示されないメモリにプログラムを有し、図示されないプロセッサにより各種演算を実行し機能を発揮する。また、マイコン２２は、タイマを有し、各種のタイミングを計測している。更に、本発明の特徴である充電パルス周期Ｐを保持する充電パルス周期メモリを有している。更に、マイコン２２は電圧計測回路２１から電池電圧Ｖの通知を受けている。
【００４０】
マイコン２２は、二次電池１で図８（Ａ）に示される電池電圧Ｖの変化情報を得るため、図８（Ｂ）に示される制御信号Ｃｏを作成している。すなわち、マイコン２２は、二次電池１に接続して得られる二次電池１の内部インピーダンス値Ｚに基づいて次の充電パルス供給の時期を計測して演算し、充電パルス周期メモリに充電パルス周期値Ｐとして保存する。充電パルス周期値Ｐは、充電パルス幅を有する充電区間と充電パルスに続く放電パルスによる電圧変動を避けるための不感応区間とを考慮して計測される。従って、放電パルスの供給は充電パルスの消滅に続く、充電休止区間のできる限り早い時期が望ましい。
【００４１】
また、マイコン２２は、充分な充電量が得られパルス充電を終了するだけの充電量による充電パルス周期Ｐｃを予め保有しており、計測して得られる充電パルス周期Ｐがこの周期値Ｐｃを越えた際に、充電の終了を判断して充放電制御部２０の回路を初期状態に戻す。この判定条件は、不感応区間を除く充電休止区間で計測される二次電池電圧Ｖｏｆｆが所定の電圧値を越えた時点としてもよい。
【００４２】
マイコン２２の主要機能によるその動作手順は図９を参照して後に説明する。
【００４３】
充放電制御回路２３は、マイコン２２から受ける制御信号Ｃｏに含まれる図８（Ｃ）に示される放電パルスＤｃ及び図８（Ｄ）に示される充電パルスＣｈそれぞれで、同時に受ける充電パルス周期値Ｐにより周期的に、同一波形の充電パルスＤｃをＳＷ２５、また同一波形の放電パルスＤｃを放電回路２４、それぞれに送って導通回路をオン／オフする。
【００４４】
この結果、充電電流Ｉｃ及び放電電流ｉは、図６に示されるように、二次電池１に供給されてパルス状の充電電圧Ｖｏｎを有する二次電池電圧Ｖを発生する。
【００４５】
放電回路２４及びＳＷ２５は従来の技術で説明したものと機能的にほぼ等しい。放電回路２４は、例えば図７に示されるように、抵抗器Ｒとトランジスタ（ＳＷ−ＦＥＴ：スイッチング・電界効果トランジスタ）Ｑとを直列接続した回路である。トランジスタＱはゲートに充放電制御回路２３から図８（Ｃ）に示される放電パルスＤｃを受けて放電回路２４の導通路を形成し、二次電池１に対して短時間放電を行なわせる。また、ＳＷ２５は、充放電制御回路２３から充電パルスＣｈの指示を受けて切換えスイッチを駆動し、充電器２から供給される定電流値Ｉｃを有する充電電流Ｉｃをオン／オフすることにより二次電池１に対してパルス充電を実行する。
【００４６】
次に、図９に図７及び図８を併せ参照して、充放電制御部２０における動作手順の一形態について説明する。
【００４７】
マイコン２２では、充電パルス周期Ｐの初期状態として、図８に示されるような充電区間と不感応区間との和が設定されており、充電パルスＣｈ及び放電パルスＤｃを含む制御信号Ｃｏが作成されるものとする。
【００４８】
まず、充電開始に伴い、マイコン２２は、この制御信号Ｃｏに基づいて充電パルスＣｈのオン信号を充放電制御回路２３に送る。充放電制御回路２３は、充電パルスＣｈのオン信号を受けてＳＷ２５に指示し、充電電流Ｉｃを二次電池１に供給（手順Ｓ３１）したのち充電区間のタイミングの後、これを充電パルスＣｈのオフ信号で断（手順Ｓ３２）とする。
【００４９】
マイコン２２は、充電パルスＣｈの送出に続いて充電パルス周期Ｐを充電パルス周期メモリから索引（手順Ｓ３３）し切換設定値Ｐｌと比較（手順Ｓ３４）する。初期では、手順Ｓ３４が「ＮＯ」で索引された充電パルス周期Ｐが切換設定値Ｐｌより小さいので、電圧計測回路２１から電池電圧Ｖとして充電休止区間の電池電圧Ｖｏｆｆが計測（手順Ｓ３５）される。
【００５０】
次いで、再度、充電パルス周期Ｐが、充電パルス周期メモリから索引（手順Ｓ３６）され、終了設定値Ｐｃと比較（手順Ｓ３７）される。
【００５１】
この時点ではまだ、手順Ｓ３７は「ＮＯ」で、充電パルス周期Ｐは終了設定値Ｐｃに未達である。この充電休止区間にマイコン２２は、二次電池を接続する回路で、二次電池の内部インピーダンスＺを含み充電パルス周期値Ｐを計測（手順Ｓ３８）する。マイコン２２は、この計測値から充電パルス周期値Ｐを得て充電パルス周期メモリの設定を更新（手順Ｓ３９）し、手順は上記手順Ｓ３１に戻り次の充電パルスＣｈを充放電制御回路２３に送る。
【００５２】
充電パルス周期Ｐが充電により延長され、上記手順Ｓ３４が「ＹＥＳ」となって、切換設定値Ｐｌを越えた時点で、マイコン２２は、図８（Ｂ）の制御信号Ｃｏに基づいて放電パルスＤｃのオン信号を充放電制御回路２３に送る。充放電制御回路２３は、放電パルスＤｃのオン信号を受けて放電回路２４のトランジスタＱのゲートを制御してこの放電回路を通電状態にし、二次電池１に放電電流−ｉを供給（手順Ｓ４１）し放電させたのち放電区間のタイミングの後、これを放電パルスのオフ信号で断（手順Ｓ４２）とする。
【００５３】
次いで、マイコン２２は、タイマにより上記不感応区間を計測（手順Ｓ４３）し、上記手順Ｓ３５の電池電圧Ｖの計測手順に接続する。従って、充放電パルスによるパルス充電が手順Ｓ３５から手順Ｓ３９、及び手順Ｓ３１から手順Ｓ３４の「ＹＥＳ」、次いで手順Ｓ４１からＳ４３まで、それぞれを繰返す。この手順により次第に充電パルス周期は延長される。
【００５４】
上記手順Ｓ３７が「ＹＥＳ」で、設定されていた充電パルス周期Ｐが終了設定値Ｐｃを越えた時点でこのパルス充電は終了し、マイコン２２は充電パルス周期メモリの設定を解除（手順Ｓ５１）すると共に、充放電制御部２０の全ての設定を初期値に戻す。
【００５５】
上記説明では、放電パルス供給の切換とパルス充電の終了とを充電パルス周期Ｐにより設定しているが、他の設定値、例えば、充電休止区間の二次電池電圧Ｖｏｆｆによる設定でもよい。このような終了条件は、充電アルゴリズムの簡素化を図ることができるので好ましい。また、上述した特許文献２で提案された設定条件でもよいことは勿論である。更に、上記説明では、マイコンが殆どの制御機能を負っているが、充放電制御回路に機能を分散して持たせてもよい。
【００５６】
このように、上記説明では、図示された機能ブロックおよび手順を参照しているが、機能の分離併合による配分または手順の前後入替えなどの変更は上記機能を満たす限り自由であり、上記説明が本発明を限定するものではなく、更に、二次電池に対する充電装置の全般に適用可能なものである。
【００５７】
【発明の効果】
以上説明したように本発明によれば、単純なアルゴリズムで、全体的な充電時間を短縮できるという効果を得ることができる。
【００５８】
その理由は、二次電池の内部インピーダンスＺを用いたタイマで充電パルスＣｈの周期Ｐを設定し、かつこの設定された充電パルス周期Ｐで放電パルスＤｃの供給及びパルス充電の終了を決定しているからである。更に、放電パルスＤｃのパルス幅による放電量の適切な設定で、繰返し数の増加した充電パルスにより全体のパルス充電量が短時間で満充電に到達できるからである。
【図面の簡単な説明】
【図１】従来の一例を示す機能ブロック図である。
【図２】従来の放電効果における手順の一例を示すフローチャートである。
【図３】従来のパルス充電の一例を示すタイムチャートである。
【図４】従来のパルス充電における主要手順の一例を示すフローチャートである。
【図５】図３とは異なる従来のパルス充電の簡便化した一例を示すタイムチャートである。
【図６】本発明によるパルス充電の実施の一形態を示すタイムチャートである。
【図７】本発明の実施の一形態を示す機能ブロック図である。
【図８】本発明のパルス充電における充電パルス周期の実施の一形態を示すタイムチャートである。
【図９】本発明のパルス充電における主要手順の実施の一形態を示すフローチャートである。
【符号の説明】
１    二次電池
２    充電器
２０    充放電制御部
２１    電圧計測回路
２２    マイコン（マイクロコンピュータ）
２３    充放電制御回路
２４    放電回路
２５    ＳＷ（切換回路）
【図１】
2004274962.tif 000003
【図２】
2004274962.tif 000004
【図３】
2004274962.tif 000005
【図４】
2004274962.tif 000006
【図５】
2004274962.tif 000007
【図６】
2004274962.tif 000008
【図７】
2004274962.tif 000009
【図８】
2004274962.tif 000010
【図９】
2004274962.tif 000011